(57)【要約】【課題】１つの靴下でルーズソックス的な態様を含む複数の態様を実現できる娯楽性の高い靴下を提供する。【解決手段】この靴下１００は、第１の着用態様において膝下に位置する開口部１００Ａから踵部１００Ｂを経て爪先部１００Ｃまで筒状編地で構成された靴下であって、開口部１００Ａから踵部１００Ｂまでの間の脚部１２０に編目の大きさが他の部分よりも大きい領域１２２を備える。【選択図】図１
2019143267.tif 000002
【特許請求の範囲】
【請求項１】
膝下に位置する開口部から踵部を経て爪先部まで筒状編地で構成された靴下であって、
前記開口部から前記踵部までの間に編目の大きさが他の部分よりも大きい領域を備えることを特徴とする靴下。
【請求項２】
編組織としてリブ柄を採用したことを特徴とする、請求項１に記載の靴下。
【発明の詳細な説明】
【技術分野】
【０００１】
本発明は、若い女性の間で流行しているずり落として着用する靴下に関し、特に、１つの靴下で複数の着用態様を実現できる娯楽性の高い靴下に関する。
【背景技術】
【０００２】
従来においては、靴下（以下においてソックスと記載する場合がある）の脚部の丈を長くし、編成をゆるゆるにして、ずり落として着用するソックス（ルーズソックスと呼ばれる場合がある）がある。このようなソックスの使用時には、その脚部を下方へずり落とした時、ソックスの脚部のたるみなどがバランスを欠き、だらしがなく見栄えが悪いと言う人も存在する。また、その脚部の膨らみが小形で、不安定であり、膨らみの積み重なりも低く、膨らみが動き密閉された空間でないため保温効果も小さかった。さらに、脚部をずり落ちないように安定させるため、ソックスの口ゴム部分と着用者の脚とを、接着剤等により糊付けして固定するため、手間が掛かり、さらに、履き心地が悪く、余分な費用が必要であった。
【０００３】
このような問題点を解決する靴下を、特開２０００−１２９５０３号公報（特許文献１）は開示する。この特許文献１に開示された靴下は、充分な丈を有す、靴下の脚部の編成生地の周方向内を、形状を保つ手段を備えた複数の保形部分と、膨らみ発生手段を備えた一つ以上の膨らみ発生部分で形成された部位を有し、所要方向に対して保形部分と、膨らみ発生部分は、交互に隣接して形成され編成した部位を有し、着用時に前記靴下の脚部生地を、下方へずり落とした時、複数の保形部分は、形状を保ったまま下方へ移動し、一方の複数の膨らみ発生部分は、ずり落ちながら、より立体性を持つ形状に変化して膨らみを形成して下方へ移動し、積み重なり、より立体性を持つ形状を保持したまま安定することを特徴とする動的変化機能を備える。
【０００４】
この靴下によると、保形部分と膨らみ発生部分とが交互に隣接して形成され編成した部位を有することで、保形部分は堅く形成され、着用時に、ずり落とした時、形状を崩さずに、下方へ移動して積み重り、着用者の端の凸部分に掛かって、そこから上方に向かって、個々の保形部分の縦方向の所要幅分の加わった高さ程度まで、任意形状の膨らみが安定して保持して、これ以上ずり落ちなく、従来のように、ずり落ち防止に糊付けして止める、無駄な動作と費用とを削除することができる。
【０００５】
また、ソックスの脚部を着用時にずり落とした時にバランス良く安定して輪状または螺旋状の膨らみの重なりが形成されるソックスを、特開平１０−２７３８０１号公報（特許文献２）は開示する。この特許文献２に開示されたソックスは、ソックスの脚部の周方向内を、縦方向に幅を持つ複数の締り部と一つ以上の緩み部とで形成された部位を有し、個々の締り部と緩み部で交互に隣接して、上の締り部とその一つ下の締り部は緩み部を介して形成され編成した部位を有し、締り部は、伸縮性を高く編成し、一方の緩み部は締り部より伸縮性を下げて編成することを特徴としており、輪状または螺旋状の形態を持つ。
【０００６】
このソックスによると、締り部を伸縮性が高く編成して、適度な締り加減を持たせ、一方の緩み部は、締り部より幅を広げて、かつ締り部より伸縮性を下げて編成し適度な緩み加減を持ち、身体の脚と外側布の間に適度な隙間を設けるようにすることで、着用時に、ずり落とした時、締り部は適度なしまり加減から身体の脚へフィットしたまま下がり、緩み部は身体の脚から外側布が膨らみながら下がることにより、脚部の周内は、外観上では膨らみの重なりが等間隔で平行になりバランスが良くなる。
【先行技術文献】
【特許文献】
【０００７】
【特許文献１】特開２０００−１２９５０３号公報
【特許文献２】特開平１０−２７３８０１号公報
【発明の概要】
【発明が解決しようとする課題】
【０００８】
上述したような、ずり落として着用する靴下を着用しているときに、時と場合によって
は着用しているそのままの状態で着用形態を変更したい場合がある。たとえば、靴下の脚部を下方へずり落とした時だらしがなく見栄えが悪いと言う人に対しては、このような着用態様を即座に変更したい場合である。また、このような場合でなくとも、１つの靴下で様々な着用態様を楽しみたいという要望も少なからず存在する。
【０００９】
しかしながら、特許文献１に開示された靴下であっても特許文献２に開示されたソックスであっても、１つの靴下（着用したままでも、履き替えても）、ずり落として着用する態様（ルーズソックス的な態様）以外の着用態様に変更できるものではない。また、特許文献２に開示されたソックスでは、脚部の周内がその外観上では膨らみの重なりが等間隔で平行になりバランスが良くなりすぎて、ルーズソックスとはその外観上の特徴が大きく異なるために需用者に受け入れられない可能性がある。
【００１０】
また、ずり落として着用する態様の着用態様においてはルーズソックス的に（身）生地のたるみを実現するためにはずり落とす必要があり、ずり落として着用する態様以外の着用態様においてはシワにならないでズレない必要があり（ずり落としてはいけない必要があり）、相反する作用効果を１つの靴下で実現することは相当に困難であった。本願出願人は、この点を克服して、１つの靴下でルーズソックス的な態様を含む複数の態様を実現できる娯楽性の高い靴下の開発を鋭意進めた。
【００１１】
本発明は、従来技術の上述の問題点に鑑みて開発されたものであり、その目的とするところは、脚部をずり落として着用する靴下であって、１つの靴下でルーズソックス的な態様を含む複数の態様を実現できる娯楽性の高い靴下を提供することである。
【課題を解決するための手段】
【００１２】
上記目的を達成するため、本発明に係る靴下は以下の技術的手段を講じている。
すなわち、本発明に係る靴下は、膝下に位置する開口部から踵部を経て爪先部まで筒状編地で構成された靴下であって、前記開口部から前記踵部までの間に編目の大きさが他の部分よりも大きい領域を備えることを特徴とする。
好ましくは、編組織としてリブ柄を採用するように構成することができる。
【００１３】
さらに好ましくは、前記開口部から前記領域までの間は、表面と裏面とでデザインが異なるように構成することができる。
さらに好ましくは、前記領域から前記踵部までの間において、編目の大きさが徐々に変化するように構成することができる。
【発明の効果】
【００１４】
本発明の靴下によれば、脚部をずり落として着用する靴下にであって、１つの靴下でルーズソックス的な態様を含む複数の態様を実現できる娯楽性の高い靴下を提供することができる。
【図面の簡単な説明】
【００１５】
【図１】本発明の実施の形態に係る靴下の第１の着用態様を示す斜視図（Ａ）、第２の着用態様を示す斜視図（Ｂ）、および、第３の着用態様を示す斜視図（Ｃ）である。
【図２】図１の靴下を平面に載置した場合の表面図（外側）（Ａ）、および、裏面図（内側：肌側）である。
【図３】図１の靴下に好適に採用されるリブ柄を説明するための図であって、（Ａ）糸種および編み組織を示す図、（Ｂ）図面代用写真、（Ｃ）模式的な編み組織を示す図である。
【発明を実施するための形態】
【００１６】
以下、本発明の実施の形態に係る靴下を、図面に基づき詳しく説明する。ここで、靴下の構造には様々なものがあり、本発明は特定の構造に限定されるものではなく、後述する特徴を備えたものであれば、どのような靴下の構造であっても、靴下を構成する編地の編み組織および編み糸がどのようなものであっても構わない。そのため、以下に示す靴下の構造自体は単なる例示でしかない。
【００１７】
なお、本発明に係る靴下は、１つの靴下で複数の態様を実現できる娯楽性の高い靴下であって、以下においては、膝下くらいまでの長さでハイソックスを着用している態様（以下において第１の着用態様と記載する場合がある）、膝下３／４丈（ふくらはぎ）くらい
までの長さでスリークォーターソックス（またはさらに短い）を着用している態様（以下において第２の着用態様と記載する場合がある）、および、第１の着用態様において脚部をずり落としてルーズソックス調に着用している態様（以下において第３の着用態様と記載する場合がある）を複数の着用態様の例として説明する。
【００１８】
図１（Ａ）は本実施の形態に係る靴下１００の第１の着用態様を示す斜視図であって、図１（Ｂ）はこの靴下１００の第２の着用態様を示す斜視図であって、図１（Ｃ）はこの靴下１００の第３の着用態様を示す斜視図である。また、図２（Ａ）はこの靴下１００を平面に載置した場合の表面図（外側）であって、図２（Ｂ）はこの靴下１００を平面に載置した場合の裏面図（内側：肌側）である。また、図３は、この靴下１００に好適に採用されるリブ柄を説明するための図であって、図３（Ａ）は糸種および編み組織を示す図であって、図３（Ｂ）は図面代用写真であって、図３（Ｃ）は模式的な編み組織を示す図である。
【００１９】
なお、図１（Ａ）〜図１（Ｃ）はユーザの右足Ｆに靴下１００を着用した場合の斜視図であって、図２（Ａ）および図２（Ｂ）は、着用前の靴下１００を平面状に展開して（折り畳まないで）平面に載置した図であって着用時を想定した図ではない。
まず、図１および図２を参照して、本実施の形態に係る靴下１００が備える技術的特徴について大略的に説明する。この靴下１００は、図１（Ａ）に示す第１の着用態様において膝下に位置する開口部１００Ａから踵部１００Ｂを経て爪先部１００Ｃまで筒状編地で構成された靴下であって、開口部１００Ａから踵部１００Ｂまでの間に編み目の大きさが他の部分（この他の部分については後述する）よりも大きい領域１２２を備える。
【００２０】
また、開口部１００Ａから領域１２２までの間の履口部１１０においては、図２（Ａ）に示す表面と図２（Ｂ）に示す裏面とでデザインが異なる。さらに、領域１２２から踵部１００Ｂまでの間において、編目の大きさが徐々に変化する徐変領域１２４を備える。すなわち、脚部１２０において、編み目の大きさが他の部分よりも大きい領域１２２と、この領域１２２から踵部１００Ｂ側へ続く徐変領域１２４とが形成されている。なお、履口部１１０における表裏でデザインが相違する構成および徐変領域１２４は、本発明に必須の構成ではない。
【００２１】
このような技術的特徴を備えた靴下１００であるために、図１（Ａ）に示すように、膝下くらいまでの長さでハイソックスを着用している第１の着用態様図１（Ｂ）に示すように、膝下３／４丈（ふくらはぎ）くらいまでの長さでスリークォーターソックスを着用している第２の着用態様、および、図１（Ｃ）に示すように、第１の着用態様において脚部をずり落としてルーズソックスを着用している第３の着用態様を１つの靴下１００で、かつ、履き直すことなく、実現することができる。
【００２２】
このような靴下１００について、さらに詳しく説明する。
図１および図２に示すように、この靴下１００は、開口部１００Ａから脚部１２０までの間の履口部１１０（好ましくはこの履口部１１０に表裏デザイン相違領域を含む）と、履口部１１０から踵部１００Ｂまでの間の脚部１２０（編み目の大きさが他の部分よりも大きい領域１２２を必ず含み好ましくは徐変領域１２４を含む）と、踵部１００Ｂから爪先部１００Ｃまでの間の足部１３０とで構成される。
【００２３】
そして、特徴的であるのは、脚部１２０において、領域１２２の編目の大きさが他の部分よりも大きい。ここで、編目の大きさの比較対象であるこの靴下１００における他の部分とは、たとえば、履口部１１０および／または足部１３０である。すなわち、第３の着用態様において好ましく脚部１２０をルーズソックス調にずり落とすためには、領域１２２における編目の大きさが、この靴下１００の他の部分における編目の大きさよりも大きいことが好適である。このように編目の大きさを２段階に変化させているので、脚部１２０におけるふくらはぎは大きくゆるめに、足部１３０における足首より爪先側は小さくきつめにフィットさせることができる。
【００２４】
さらに詳しくはこの靴下１００においては、
（ａ）足首の一番細い部位から爪先までを含む足部１３０の編目が小さく、寸法（ヨコ方向の置寸）が小さく、
（ｂ）脚部１２０の編目が大きく、寸法（ヨコ方向の置寸）が大きく（ヨコ伸び寸法が足部１３０の１．５倍程度）、
（ｃ）履口部１１０の編目が小さめで、寸法（ヨコ方向の置寸）が小さめ（タテ幅７．０ｃｍ〜８．０ｃｍ）程度でヨコ伸び寸法が足部１３０の０．７５倍程度）、
となる。
【００２５】
そして、このように構成することにより、この靴下１００は、（ｂ）によりずり落としたときにルーズソックス調に「クシュクシュ」するようにできて、（ａ）および／または（ｃ）によりいずれの着用態様であっても履口部１１０でしっかりホールドされて開口部１１０Ａの位置がずり落ちないという作用効果を奏する。すなわち、第１の着用態様であっても第２の着用態様であっても第３の着用態様であっても、開口部１１０Ａの位置がずり落ちることなく（第３の着用態様においてはルーズソックス調に脚部１２０をずり落とすようにセットした後は開口部１１０Ａの位置がずり落ちることなく）、かつ、履口部１１０および足部１３０においてシワが発生しないようにこの靴下１００を着用できて、第１の着用態様および第２の着用態様においては脚部１２０においてシワが発生しないようにこの靴下１００を着用できて、第３の着用態様においては脚部１２０においてルースズソックス調に好ましいシワを発生させてこの靴下１００を着用できる。
【００２６】
次に、図３を参照して、このような構成を実現して、このような作用効果を発現させるためにこの靴下１００に好適に採用されるリブ柄について説明する。
この靴下１００の素材使いとしてはＳＣＹ（カバリングヤーンであってＤＣＹであっても構わない）ゾッキの平編み（プレーン編み）を採用し、編組織としてリブ柄を採用している。素材使いにＳＣＹゾッキを採用することにより弾性糸によるサポート力により置寸が小さくよく伸縮して（よく伸びてよく縮み）、編組織にリブ柄を採用することによりヨコ置寸を小さくすることができる。
【００２７】
この靴下１００に採用された素材使い（ＳＣＹゾッキ）および編組織（リブ柄）を、図３（Ａ）、図３（Ｂ）および図３（Ｃ）に示す。このような素材使い（ＳＣＹゾッキ）および編組織（リブ柄）をこの靴下１００に採用した上で、上述した編目の大きさを異ならせているという特徴（脚部１２０において領域１２２の編目の大きさが他の部分よりも大きいという特徴であって、好ましくは上述した（ａ）（ｂ）（ｃ）に示す特徴）をこの靴下１００は備える。
【００２８】
以上のような特徴を備えた靴下１００の使用方法について、以下に説明する。
図１（Ａ）に示すようにこの靴下１００を第１の着用態様で着用している場合には、膝下くらいまでの長さでハイソックスを着用していることになる。このとき、履口部１１０には表面のデザインＸが現れているとともに、開口部１００Ａから踵部１００Ｂにおいては通常の靴下のデザインＹＡが現れている。
【００２９】
この図１（Ａ）に示す第１の着用態様の状態で、表面のデザインＸが現れている履口部１１０を折り返すと（開口部１００Ａを位置１００ＡＡまで折り返すと）、図１（Ｂ）に示すように履口部１１０の裏面のデザインＺが現れ、第２の着用態様を実現できる。
また、図１（Ａ）に示す第１の着用態様の状態で、脚部１２０をずり落とすと、編目の大きさがこの靴下１００の他の部分（履口部１１０および／または足部１３０）よりも大きい領域１２２にて好ましいシワが発生してルーズソックス調のデザインＹＢが現れて、第３の着用態様を実現ができる。
【００３０】
このような使用方法の第１の着用態様、第２の着用態様および第３の着用態様において、開口部１１０Ａの位置がずり落ちることなく（第３の着用態様においてはルーズソックス調に脚部１２０をずり落とすようにセットした後は開口部１１０Ａの位置がずり落ちることなく）、かつ、履口部１１０および足部１３０においてシワが発生しないようにこの靴下１００を着用できる。さらに、このような使用方法の第１の着用態様および第２の着用態様において、脚部１２０においてシワが発生しないようにこの靴下１００を着用できて、第３の着用態様においては脚部１２０においてルースズソックス調に好ましいシワを発生させてこの靴下１００を着用できる。
【００３１】
以上のようにして、本実施の形態に係る靴下１００によると、脚部をずり落として着用する靴下であって、１つの靴下で複数の態様を実現できる娯楽性の高い靴下を提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
本発明は、ずり落として着用する靴下に好ましく、１つの靴下でルーズソックス的な態様を含む複数の態様を実現できる娯楽性の高い点で特に好ましい。
【符号の説明】
【００３３】
１００  靴下
１００Ａ  開口部
１００Ｂ  踵部
１００Ｃ  爪先部
１１０  履口部
１２０  脚部
１３０  足部
【図１】
2019143267.tif 000003
【図２】
2019143267.tif 000004
【図３】
2019143267.tif 000005